(57)【要約】【課題】ユーザに対して好適な映像を表示することのできる表示処理装置を提供する。【解決手段】一実施形態に係るテレビ装置１００において、パネル制御部１１５は液晶パネル１８０に対して映像信号を出力し、液晶パネル１８０は当該映像信号に基づいて表示素子を書き換える。そして液晶パネル１８０の表示素子が書き換えられる場合、バックライト制御部１１６は、バックライト１９０が備える１以上の光源のうち、当該表示素子の位置に対応する光源の照射を一定時間制限する。ここでパネル制御部１１５は、バックライト制御部１１６が光源の照射を制限する時間に応じたオーバーシュート量の映像信号を出力する。【選択図】  図２
2011209656.tif 000002
【特許請求の範囲】
【請求項１】
表示素子を有する液晶パネルと、
前記液晶パネルに照射する１以上の光源を有するバックライトと、
前記液晶パネルに対して映像信号を出力する出力手段と、
前記出力手段が出力した前記映像信号に基づいて、前記液晶パネルの前記表示素子を書き換える書換手段と
前記表示素子が書き換えられる場合、前記１以上の光源のうち、当該表示素子の位置に対応する光源の照射を一定時間制限するバックライト制御手段と
を備え、
前記出力手段は、前記バックライト制御手段が前記光源の照射を制限する時間に応じたオーバーシュート量の映像信号を出力する
ことを特徴とする表示処理装置。
【請求項２】
前記バックライトは複数の光源を有し、
前記バックライト制御手段が前記複数の光源の照射を制限する時間は、光源毎に異なりうることを特徴とする請求項１記載の表示処理装置。
【請求項３】
周囲の光量を検出する検出手段を更に備え、
前記バックライト制御手段が前記光源の照射を制限する時間は、前記検出手段が検出した光量に応じて変化する
ことを特徴とする請求項１記載の表示処理装置。
【請求項４】
映像の明るさを決定する為の操作入力を受け付ける受付手段を更に備え、
前記バックライト制御手段は、前記光源の照射を、前記受付手段が受け付けた操作入力に応じた一定時間制限する
ことを特徴とする請求項１記載の表示処理装置。
【請求項５】
シャッター眼鏡のシャッターの開閉を制御するシャッター制御手段を更に備え、
前記出力手段は、前記液晶パネルに対して第１及び第２の映像信号を交互に出力し、
前記シャッター制御手段は、前記出力手段が前記第１及び第２の映像信号を出力するタイミングに応じて前記シャッターの開閉を制御する
ことを特徴とする請求項１記載の表示処理装置。
【発明の詳細な説明】
【技術分野】
【０００１】
本発明の実施形態は表示処理装置に関する。
【背景技術】
【０００２】
ホールド型の表示装置である液晶表示装置は、入力した映像信号に基づいて液晶パネルの表示素子を書き換え、当該液晶パネルにバックライトを照射することにより、ユーザに対して映像を表示する。そして液晶表示装置は、液晶パネルに右／左目用の画像を交互に表示し、当該パネルに表示する右／左目用画像の切り替えタイミングと同期してシャッターを開閉するようにシャッター眼鏡を制御することにより、当該シャッター眼鏡を装着したユーザに対して３次元映像を表示することができる。
【先行技術文献】
【特許文献】
【０００３】
【特許文献１】特開２００９−１５２８９７
【発明の概要】
【発明が解決しようとする課題】
【０００４】
ここで液晶表示装置の液晶パネルにおいては、入力した映像信号に対して表示素子が応答完了するまでに時間を要するため、応答完了前の表示素子に対してバックライトを照射すると、ユーザに対して好適な映像を表示できない恐れがある。より具体的には、液晶表示装置が２次元映像を表示する場合には当該映像が不明瞭となる恐れが、当該装置が３次元映像を表示する場合には当該映像にクロストークが発生する恐れがある。
【０００５】
そこで本発明は、ユーザに対して好適な映像を表示することのできる表示処理装置の提供を目的とする。
【課題を解決するための手段】
【０００６】
上記の課題を解決する為に、請求項１に記載の表示処理装置は、表示素子を有する液晶パネルと、前記液晶パネルに照射する１以上の光源を有するバックライトと、前記液晶パネルに対して映像信号を出力する出力手段と、前記出力手段が出力した前記映像信号に基づいて、前記液晶パネルの前記表示素子を書き換える書換手段と前記表示素子が書き換えられる場合、前記１以上の光源のうち、当該表示素子の位置に対応する光源の照射を一定時間制限するバックライト制御手段とを備え、前記出力手段は、前記バックライト制御手段が前記光源の照射を制限する時間に応じたオーバーシュート量の映像信号を出力することを特徴とする。
【発明の効果】
【０００７】
ユーザに対して好適な映像を表示することができる。
【図面の簡単な説明】
【０００８】
【図１】一実施形態に係るテレビ装置の利用形態例を示す図。
【図２】一実施形態に係るテレビ装置のシステム構成例を示す図。
【図３】一実施形態に係るテレビ装置における映像データを構成するフレームを示す図。
【図４】一実施形態に係るテレビ装置の液晶パネル及びバックライトの例を示す図。
【図５】一実施形態に係るテレビ装置における、表示素子の書き換えとバックライト点灯／消灯期間の例を示す図。
【図６】一実施形態に係るテレビ装置が出力する、オーバーシュートさせた映像信号の例を示す図。
【図７】一実施形態に係るテレビ装置におけるバックライトの点灯／消灯期間及び映像信号のオーバーシュート量の制御に係る処理フロー例を示す図。
【図８】一実施形態に係るテレビ装置におけるバックライトの点灯／消灯制御に係る処理フロー例を示す図。
【発明を実施するための形態】
【０００９】
以下、図面を参照して発明の一実施形態について説明する。
図１は、本実施形態に係る表示処理装置の利用形態を示す図である。本実施形態に係る表示処理装置は例えばテレビ装置１００として実現されている。ここでテレビ装置１００は、液晶パネル１８０及びバックライト１９０、シャッター制御部１１７等を備え、ユーザに対して２次元映像及び３次元映像を表示する機能を有する。
【００１０】
液晶パネル１８０には、多数の表示素子がマトリクス状に設けられおり、テレビ装置１００は当該表示素子を書き換えることにより当該液晶パネルに映像を表示する。ここでテレビ装置１００は、液晶パネル１８０の表示素子をＶ１の方向に書き換える。即ちテレビ装置１００は、映像を構成する複数のフレームのうち、１つのフレームについて表示素子を書換方向Ｖ１の方向に書き換え、当該１のフレームについての表示素子の書き換えが完了した後、続いて次のフレームについて同様にＶ１の方向に表示素子を書き換える。このようにしてテレビ装置１００は、連続したフレームの映像を表示し、動画像を表示することができる。
【００１１】
またテレビ装置１００は、液晶パネル１８０に右目用画像と左目用画像とを交互に表示するとともに、シャッター眼鏡２００の右目シャッター２１０及び左目シャッター２２０を制御する制御信号を当該シャッター眼鏡２００に送信することにより、当該シャッター眼鏡２００を着用したユーザに対して立体映像を見せることができる。
【００１２】
更にテレビ装置１００は、液晶パネル１８０の表示素子の書き換えのタイミングに応じて、バックライト１９０の消灯／点灯のタイミングを制御することができる。ここでバックライト１９０は、例えば複数の光源Ｌ１乃至Ｌ４を備えており、当該光源Ｌ１乃至Ｌ４は、各々液晶パネル１８０の一部の領域に対して照射することができる。またテレビ装置１００は、光源Ｌ１乃至Ｌ４の夫々について、消灯／点灯時間を制御し、当該光源からの光量を制御することができる。
【００１３】
そしてテレビ装置１００は、シャッター制御部１１７からシャッター眼鏡２００に対してシャッター制御信号を送信することにより、シャッター眼鏡のシャッター２１０及び２２０のシャッターの開閉を制御することが可能である。
【００１４】
そして本実施形態に係るテレビ装置１００は、液晶パネル１８０の表示素子を書き換えて当該パネルに映像を表示する際に、バックライト１９０の光源Ｌ１乃至Ｌ４の消灯／点灯時間を制御することにより、ユーザにとって好適な映像を表示することができるものであるが、詳細については図２乃至図３を参照して後述する。
【００１５】
次に図２を参照して、本実施形態に係るテレビ装置１００のシステム構成例について説明する。テレビ装置１００は、例えばチューナ１０１、ＯＤＤ１０２、ＨＤＤ１０３、再生制御部１１０、映像処理部１１１、操作受付部１１２、光量センサ１１３、光量算出部１１４、パネル制御部１１５、バックライト制御部１１６、シャッター制御部１１７、通信部１１８等を備えている。
【００１６】
チューナ１０１はテレビ放送信号を受信し、当該テレビ放送信号に重畳された映像データを取得する。そしてチューナ１０１は、取得した映像データを再生制御部１１０に出力する。またＯＤＤ１０２は、光学ディスクに記録された映像データを読込む機能を有し、当該読込んだ映像データを再生制御部１１０に出力する。ＨＤＤ１０３は、チューナ１０１にて受信した映像データ等を記憶し、再生制御部１１０からの指示に応じて当該記憶した映像データを再生制御部１１０に出力する。
【００１７】
再生制御部１１０は、テレビ装置１００における映像の再生に係る処理を行う。即ち再生制御部１１０は、操作入力部１１３が受け付けたユーザ操作入力等に応じて再生する映像を決定し、当該決定に基づいてチューナ１０１、ＯＤＤ１０２及びＨＤＤ１０３の何れかから映像データを入力し、当該映像データを映像処理部１１１に出力する。
【００１８】
映像処理部１１１は、再生制御部１１０から入力された映像データのデコードを行う。ここで映像処理部１１１は、再生制御部１１０から映像データを入力すると、当該映像データをデコードして、例えば複数のフレームから構成される映像データを生成する。なお映像処理部１１１は、入力された立体表示用の映像データをデコードして、例えば右目用画像のフレームと左目用画像のフレームとが交互に並ぶ立体表示用の映像データを生成することもできる。そして映像処理部１１１は映像データをデコードした後、複数のフレームから構成される映像データをパネル制御部１１５及び光量算出部１１４に出力する。また映像処理部１１１は、立体表示用の映像データのフレームをパネル制御部１１５に出力する場合、当該フレームが右目用画像のフレームであるか左目用画像のフレームであるかを示す右目／左目用画像通知をパネル制御部１１５に出力する。
【００１９】
操作受付部１１２は、ユーザからの操作入力を受け付ける。ここで操作受付部１１２は、例えばユーザからの、テレビ放送の映像、光学ディスク及びＨＤＤに記憶された映像のうち何れの映像を視聴するかについての操作入力や、テレビ装置１００が表示する映像の明度を決定する操作入力を受ける。そして操作受付部１１２は、いずれの映像を再生するかについてのユーザ操作入力を受けた場合、当該操作入力に基づいた映像の再生を再生制御部１１０に指示する。また操作受付部１１２は、映像の明度決定の操作入力を受けた場合、当該決定された明度についての情報を光量算出部１１４に指示する。
【００２０】
光量センサ１１３は、テレビ装置１００の周囲の光量を検出する機能を有しており、例えばテレビ装置１００が設置されている部屋の光量を検出する。そして光量センサ１１３は、検出した光量値を光量算出部１１４に出力する。
【００２１】
光量算出部１１４は、映像処理部１１１から入力された映像データに基づいて、バックライト１９０の光源Ｌ１乃至Ｌ４が照射する光量を算出する。ここで光量算出部１１４は、例えば映像処理部１１１から入力した映像データのフレーム毎に当該フレームの平均輝度等を算出し、光源Ｌ１乃至Ｌ４の光量を、当該輝度に対応した光量に決定する。
【００２２】
また光量算出部１１４は、操作受付部１１２から入力された明度についての情報や、光量センサ１１３が検出した光量値に基づいて光量を算出してもよい。即ち光量算出部１１４は、操作受付部１１２が、テレビ装置１００が表示する映像の明度を上げる又は下げるための操作入力を受けた場合、映像処理部１１１から入力した映像に基づいて光量を算出するとともに、当該操作入力に基づいて光量を算出／決定する。
【００２３】
また光量算出部１１４は、光量センサ１１３が検出した周囲の光量値を入力した場合、映像処理部１１１から入力した映像に基づいて光量を算出するとともに、周囲の光量値に応じたバックライト１９０の光量を算出／決定することができる。そして光量算出部１１４は、当該算出／決定したバックライト光量をバックライト制御部１１６に出力する。
【００２４】
パネル制御部１１５は、映像処理部１１１から入力した映像データに基づいた映像信号を液晶パネル１８０に出力し、液晶パネル１８０の表示素子を書き換える機能を有する。即ちパネル制御部１１５は、映像データを入力すると、当該映像データを構成するフレームのうちの１のフレームに対応する映像信号を液晶パネル１８０に出力し、当該１のフレームに対応する映像信号の出力が完了した後、続いて次のフレームに対応する映像信号を出力する。
【００２５】
またパネル制御部１１５は、１のフレームに対応する映像信号の液晶パネル１８０への出力を開始する場合に、当該映像信号の出力開始をバックライト制御部１１６に通知する。
【００２６】
さらにパネル制御部１１５は、１のフレームに対応する映像信号の液晶パネル１８０への出力を開始する場合に、当該フレームが右目用画像及び左目用画像のどちらの画像であるかを映像処理部１１１から入力された右目／左目用画像通知に基づいて判別し、シャッター制御部１１７に対して、右目又は左目用フレームの映像信号出力通知を出力する。つまりパネル制御部１１５は、右目用画像の映像信号を出力する場合は右目用映像信号出力通知を、左目用画像の映像信号を出力する場合は左目用映像信号出力通知をシャッター制御部１１７に出力する。
【００２７】
バックライト制御部１１６は、バックライト１９０の光源Ｌ１乃至Ｌ４の点灯／消灯時間を制御する。ここでバックライト制御部１１６は、光量算出部１１４から入力された光量値に基づいて、光源Ｌ１乃至Ｌ４の点灯時間長を制御するとともに、パネル制御部１１５からの映像信号出力開始通知に基づいたタイミングで、光源Ｌ１乃至Ｌ４の点灯／消灯のタイミングを制御する。なお、光源の点灯時間長及び点灯／消灯タイミングの制御については、図４を参照して後述する。
【００２８】
シャッター制御部１１７は、パネル制御部１１５から入力する通知に基づいて、シャッター眼鏡２００のシャッターを制御する為のシャッター制御信号を生成し、当該シャッター制御信号を通信部１１８を介してシャッター眼鏡２００に送信する機能を有する。なおシャッター制御部１１７の動作の詳細については図４を参照して後述する。
【００２９】
次に図３を参照して、映像処理部１１１が出力する映像データを構成するフレームについて説明する。映像処理部１１１でデコードされた映像データは、例えば図３に示す、複数のフレームＦ１乃至Ｆｎにより構成された映像データとしてパネル制御部１１５及び光量算出部１１４に出力される。ここで、テレビ装置１００が立体映像を表示する場合、フレームＦ１乃至Ｆｎにおいては、右目用と左目用の画像のフレームが交互に並び、映像処理部１１１は右目用と左目用のフレームを交互にパネル制御部１１５に出力する。なおテレビ装置１００が２次元映像を表示する場合には、フレームＦ１乃至Ｆｎには、当該右目用及び左目用区別のないフレームが並ぶこととなる。
【００３０】
次に図４を参照して、テレビ装置１００の液晶パネル１８０及びバックライト１９０の詳細について説明する。
図４（Ａ）は、液晶パネル１８０の例を示す図である。ここで液晶パネル１８０は、例えば水平方向に１９２０の、垂直方向に１０８０の表示素子Ｐ１乃至Ｐｎを有している。そして液晶パネル１８０は、Ｖ１の方向に表示素子を書き換える。即ち液晶パネル１８０は、パネル制御部１１５から、１のフレームに基づく、行Ａ１から行Ａ１０８０の表示素子を書き換えるための映像信号を、当該行Ａ１からＡ１０８０まで逐次的に入力し、入力した映像信号に基づいて、行Ａ１から行Ａ１０８０までの映像信号を順に書き換える。
【００３１】
また、図４（Ｂ）は、バックライト１９０の例を示す図である。バックライト１９０は、前述の通り複数の光源Ｌ１乃至Ｌ４を備えており、当該光源Ｌ１乃至Ｌ４は、夫々液晶パネル１８０の領域Ｒ１乃至Ｒ４を照射する機能を有する。そしてバックライト制御部１１６は、これら光源Ｌ１乃至Ｌ４が領域Ｒ１乃至Ｒ４を照射する時間長及びタイミングを制御する。
【００３２】
次に図５を参照して、本実施形態に係るテレビ装置１００における、液晶パネル１８０での表示素子書き換えとバックライト制御について説明する。
図５（Ａ）は、液晶パネル１８０における表示素子書き換えのタイミングと、バックライト１９０の光源Ｌ１乃至Ｌ４の点灯／消灯時間の関係の例を示す図である。ここで、Ｃ１乃至Ｃ４は、夫々フレームに応じた表示素子の書き換え時間を示しており、Ｃ１乃至Ｃ４のうちＣ１及びＣ３は右目用画像の、Ｃ２及びＣ４は左目用画像のフレームに応じた書き換えを示している。そして液晶パネル１８０においては、前述の通り行Ａ１の表示素子から行Ａ１０８０の表示素子までを逐次的に書き換えるため、行Ａ１の表示素子の書き換えから行Ａ１０８０の表示素子の書き換えには例えば時間Ｔ１を要する。
【００３３】
そしてＤ１乃至Ｄ４は、夫々光源Ｌ１乃至Ｌ４の消灯期間を示している。即ち光源Ｌ１乃至Ｌ４は、当該光源が夫々対応している領域の表示素子の書き換えが開始されると消灯し、夫々Ｄ１乃至Ｄ４の期間が経過すると点灯する。そして光源Ｌ１乃至Ｌ４は、Ｃ２に示す表示素子の書き換えが開始し、夫々の光源が照射する領域の表示素子の書き換えが開始すると再び消灯する。即ちバックライト１９０の光源Ｌ１乃至Ｌ４は、当該光源が照射する領域の表示素子が書き換えられた時刻から一定時間点灯を制限し、当該一定時間経過後に点灯する。
【００３４】
なおバックライト制御部１１６は、光量算出部１１４から入力された光量値に応じて、光源Ｌ１乃至Ｌ４の消灯期間を制御してもよい。つまり、光量算出部１１４から入力された光量値が低い値である場合は光源Ｌ１乃至Ｌ４の消灯期間Ｄ１乃至Ｄ４を長く（点灯期間を短く）することによりテレビ装置１００が表示する映像を暗くし、当該入力された光量値が高い値である場合は当該消灯期間Ｄ１乃至Ｄ１を短くする（点灯期間を長く）することによりテレビ装置１００が表示する映像を明るくしても良く、図５（Ａ−１）は映像を明るくする場合、図５（Ａ−２）は映像を暗く表示する場合を示している。
【００３５】
更にバックライト制御部１１６は、光源Ｌ１乃至Ｌ４の消灯期間Ｄ１乃至Ｄ４を夫々異なる期間としてもよい。つまり光量算出部１１４は、バックライト１９０の光量を算出する場合に、映像処理部１１１から入力した映像データに基づいて、光源Ｌ１乃至Ｌ４に対応する領域毎の平均輝度等から光源Ｌ１乃至Ｌ４夫々の光量値を算出し、バックライト制御部１１６は、当該Ｌ１乃至Ｌ４夫々の光量値に基づいて光源Ｌ１乃至Ｌ４夫々の点灯／消灯時間を制御できる。
【００３６】
図５（Ｂ）は、シャッター眼鏡２００のシャッター２１０及び２２０の開閉期間の例を示す図である。
右目シャッター２１０は、右目用画像の書込Ｃ１が開始した後Ｔ２が経過するとシャッターを開き、左目用画像の書込Ｃ２が開始した後Ｔ２が経過するとシャッターを閉じる。なおここでＴ２とは、表示素子への書込が開始してから光源Ｌ４が消灯するまでの時間長を表している。一方左目シャッター２２０は、右目用画像の書込Ｃ１が開始した後Ｔ２が経過するとシャッターを閉じ、左目用画像の書込Ｃ２が開始した後Ｔ２が経過するとシャッターを開く。
【００３７】
ここでテレビ装置１００においては、シャッター制御部１１７は、パネル制御部１１５から右目用映像信号出力通知を受けた後Ｔ２が経過すると、左目用シャッター２２０に対してシャッターを閉じるよう指示するとともに右目用シャッター２１０に対してシャッターを開くよう指示する。またシャッター制御部１１７は、パネル制御部１１５から左目用映像信号出力通知を受けたのちＴ２が経過すると、右目用シャッター２１０に対してシャッターを閉じるよう指示するとともに左目用シャッター２２０に対してシャッターを開くよう指示する。
【００３８】
なお図５においては、Ｃ１及びＣ３は右目用の、Ｃ２及びＣ４は左目用のフレームに基づく表示素子の書き換えを示すとして説明したが、必ずしもこの限りではなく、Ｃ１乃至Ｃ４が２次元映像表示用のフレームであってもよい。また、バックライト１９０の光源の数は４であるとして説明したが、光源の数は例えば１であってもあるいは４以上であってもよい。
【００３９】
次に図６を参照して、本実施形態のパネル制御部１１５による映像信号のオーバーシュートについて説明する。
一般的に液晶パネルの表示素子は、映像信号が入力されてから当該映像信号に応答するまでに時間を要する。そのため、表示素子の応答が完了していない状態の映像をユーザに対して表示すると、色等が不明瞭となる恐れがある。ここで、本来の映像信号よりも輝度値の高い、オーバーシュートした映像信号を液晶パネルに出力することにより、当該液晶パネルの表示素子の応答時間を短くする技術があるが、パネル制御部１１５は、バックライト１９０の消灯期間の長さに応じたオーバーシュート量の映像信号を液晶パネル１８０に出力することにより、当該消灯期間中に表示素子を応答させることができる。
【００４０】
ここで、図６（Ａ）は、バックライトの消灯期間が短い場合の映像信号のオーバーシュートについて、図６（Ｂ）はバックライトの消灯期間が長い場合のオーバーシュートについて示す図である。なお、Ｓｔ１０乃至Ｓｔ１３、Ｓｔ２０乃至Ｓｔ２３は映像信号のオーバーシュート量を、Ｔ３及びＴ４はバックライトの消灯期間を示している。
【００４１】
そしてパネル制御部１１５は、図６（Ａ）に示すように、バックライト１９０の光源Ｌ１乃至Ｌ４の各々の消灯時間が短い場合には、当該短い消灯時間に応じた、オーバーシュート量の大きな映像信号を液晶パネル１８０に出力する。一方、図６（Ｂ）に示すように、バックライト１９０の光源Ｌ１乃至Ｌ４の各々の消灯時間が長い場合には、当該消灯時間に応じてオーバーシュート量の小さな映像信号を液晶パネル１８０に出力する。
【００４２】
これによりテレビ装置１００は、バックライト１９０の消灯期間が短い場合であっても、当該短い消灯期間に応じた、オーバーシュート量の大きな映像信号を液晶パネル１８０に出力することにより、消灯期間中に表示素子を応答させることができるため、ユーザに対してより明瞭な映像を表示することができる。
【００４３】
次に図７を参照して、テレビ装置１００による、バックライト消灯期間及び映像信号のオーバーシュート量制御に係る処理フロー例について説明する。
まず光量算出部１１４は光量を算出し（Ｓ６０１）、当該算出した光量値をバックライト制御部１１６に出力する。そしてバックライト制御部１１６は、当該入力された光量値に基づいてバックライト１９０の光源Ｌ１乃至Ｌ４の消灯期間を決定し（Ｓ６０２）、決定した消灯期間についての情報をパネル制御部１１５に出力する。
【００４４】
そしてパネル制御部１１５は、バックライト制御部１１６から入力された、バックライトの消灯期間についての情報に基づいて、映像信号のオーバーシュート量を決定し（Ｓ６０３）、オーバーシュートさせた映像信号を生成する。そしてパネル制御部１１５は、当該決定にもとオーバーシュートさせた映像信号の液晶パネル１８０への出力を開始し（Ｓ６０４）、バックライト制御部１１６に映像信号出力開始を通知する。そしてバックライト制御部１１６はバックライト点灯／消灯制御処理を行う（Ｓ６０５）。
【００４５】
次に図８を参照して、バックライト制御部１１６によるバックライト点灯／消灯制御処理に係る処理フロー例を説明する。
まずバックライト制御部１１６は、パネル制御部１１５から映像信号出力開始の通知を受けると（Ｓ７０１）、カウンタをスタートさせる（Ｓ７０２）。そしてバックライト制御部１１６は、カウンタ値が光源Ｌ１乃至Ｌ４を消灯する設定値に達したか否かを判別する（Ｓ７０３）。なお、当該設定値は光源Ｌ１乃至Ｌ４により異なっており、例えば光源Ｌ１の設定値は０であり、光源Ｌ４の設定値は図５（Ｂ）で説明したようにＴ２である。そしてバックライト制御部１１６は、カウンタ値が設定値に達すると（Ｓ７０３のＹｅｓ）、当該設定値が設定された光源を消灯し（Ｓ７０４）、消灯した後、図６のＳ６０２にて決定された消灯期間が経過すると（Ｓ７０５のＹｅｓ）、当該光源を点灯する（Ｓ７０６）。
【００４６】
本実施形態に拠れば、テレビ装置１００は、液晶パネル１８０の表示素子が書き換えられる場合に、光源Ｌ１乃至Ｌ４の光源のうち、当該表示素子の位置に対応する光源の照射を一定時間制限することにより、液晶素子の応答中に当該応答中の液晶素子への光源の照射を制限することができる。そのためテレビ装置１００は、２次元又は３次元映像を明瞭に表示することができる。
【００４７】
またテレビ装置１００は、バックライト１９０の光源Ｌ１乃至Ｌ４の照射を制限する時間に応じたオーバーシュート量の映像信号を表示パネル１８０に出力することにより、消灯期間中に表示素子を応答させることができるため、ユーザに対して明瞭な映像を表示することができる。
【００４８】
そしてテレビ装置１００は、操作受付部１１２が受け付けた、映像の明度を決定する操作入力や、光量センサ１１３が検出した周囲の光量に基づいて、光源Ｌ１乃至Ｌ４の消灯時間を制御し、テレビ装置１００が表示する映像の明度を制御することができるため、ユーザにとって好適な映像を表示できる。
【００４９】
さらにテレビ装置１００は、光源Ｌ１乃至Ｌ４の照射を一定時間制限する場合に、当該制限する時間を光源毎に異なる時間長とすることができるため、表示する映像の領域毎の輝度に応じたバックライト制御が可能となる。
【００５０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５１】
１００…テレビ装置、１０１…チューナ、１０２…ＯＤＤ、１０３…ＨＤＤ、１１０…再生制御部、１１１…映像処理部、１１２…操作受付部、１１３…光量センサ、１１４…光量算出部、１１５…パネル制御部、１１６…バックライト制御部、１１７…シャッター制御部、１８０…液晶パネル、１９０…バックライト、２００…シャッター眼鏡、２１０…右目シャッター、２２０…左目シャッター
【図１】
2011209656.tif 000003
【図２】
2011209656.tif 000004
【図３】
2011209656.tif 000005
【図４】
2011209656.tif 000006
【図５】
2011209656.tif 000007
【図６】
2011209656.tif 000008
【図７】
2011209656.tif 000009
【図８】
2011209656.tif 000010